(57)【要約】【課題】携帯電話の持込みを有効に阻止する。【解決手段】複数のボックス２０、２０…を組み込むキャビネット１０と、利用者を認証する認証端末１２と、認証された利用者ごとにあらかじめ指定されたボックス２０の電気錠を解錠するコントローラ１１とを設ける。【選択図】図１
2006138138.tif 000002
【特許請求の範囲】
【請求項１】
携帯電話を収納するための複数のボックスを組み込むキャビネットと、認証操作によって利用者を認定する認証端末と、認証された利用者ごとにあらかじめ指定された前記ボックスの電気錠を解錠するコントローラとを備えてなる携帯電話用のキャビネット装置。
【請求項２】
前記認証端末は、前記キャビネットに組み込むことを特徴とする請求項１記載の携帯電話用のキャビネット装置。
【請求項３】
前記コントローラは、入室用のゲートの電気錠を解錠制御する入室用コントローラと接続することを特徴とする請求項１または請求項２記載の携帯電話用のキャビネット装置。
【発明の詳細な説明】
【技術分野】
【０００１】
この発明は、たとえば秘密の漏洩を嫌う部屋や建物などにおいて、カメラ付きの携帯電話の持込みを禁止する場合に有益な携帯電話用のキャビネット装置に関する。
【背景技術】
【０００２】
カメラ付きの携帯電話が広く普及している。
【０００３】
カメラ付きの携帯電話は、携帯電話に高性能の小形カメラが組み込まれており、写真を撮影するだけでなく、撮影した写真情報をそのまま送信することも可能である。
【０００４】
一方、秘密の漏洩を嫌う研究所、事業所、工場などの建物や部屋において、入室者を制限するために、入口のゲートを電気錠付きとして、正しく認証された者に限って入室を許可するシステムを採用することがある。また、携帯電話を収納するための専用のキャビネットが知られている（特許文献１）。
【特許文献１】特開２００２−２９００８３号公報
【発明の開示】
【発明が解決しようとする課題】
【０００５】
かかる従来技術によるときは、入口のゲートにおいて入室を許可された者がカメラ付きの携帯電話を持ち込むことがあり、それを悪用することによって秘密が漏洩するおそれがある。なお、携帯電話には、電話番号やメールアドレスなどの個人情報が記憶されているから、入室者の携帯電話を一時的に守衛などに預けることは、入室者の心理的な反発を招き易く、人件費の点でも実用的ではない。また、単なる携帯電話用のキャビネットを入口のゲート付近に設置しても、他人が簡単に自分の携帯電話にアクセスし得るため、同様の心理的な抵抗がある。
【０００６】
そこで、この発明の目的は、かかる従来技術の問題に鑑み、認証操作によって解錠される電気錠付きのボックスをキャビネットに組み込むことによって、心理的な反発を招くことなく、携帯電話の持込みを有効に阻止することができる携帯電話用のキャビネット装置を提供することにある。
【課題を解決するための手段】
【０００７】
かかる目的を達成するためのこの発明の構成は、携帯電話を収納するための複数のボックスを組み込むキャビネットと、認証操作によって利用者を認定する認証端末と、認証された利用者ごとにあらかじめ指定されたボックスの電気錠を解錠するコントローラとを備えることをその要旨とする。
【０００８】
なお、認証端末は、キャビネットに組み込むことができ、コントローラは、入室用のゲートの電気錠を解錠制御する入室用コントローラと接続することができる。
【発明の効果】
【０００９】
かかる発明の構成によるときは、キャビネットの各ボックスは、認証端末を介して認証される利用者ごとにあらかじめ指定されており、コントローラは、認証された利用者に対応するボックスの電気錠を解錠する。そこで、利用者は、解錠されたボックスの扉を開き、自分の携帯電話を収納して扉を閉じることにより、心理的な抵抗を覚えることなく携帯電話を収納して入室することができる。ボックス内の携帯電話は、他人によるアクセスができないことが保証されているからである。なお、認証端末は、磁気カード方式、ＩＣカード方式の他、暗証番号、パスワードなどを入力するテンキー方式、指紋や虹彩、声紋、顔形などを読み取るバイオメトリクス認証方式などの任意の認証方式を使用することができる。
【００１０】
認証端末は、キャビネットの表面部分に一体に組み込んでもよく、キャビネットと別体の床置き式、壁掛け式、壁埋込み式などとしてもよい。
【００１１】
コントローラは、入室用コントローラと接続することにより、携帯電話を収納するための認証操作を入室のための認証操作に併せて利用することができる。すなわち、携帯電話を収納するための認証操作がなされると、その認証結果を入室用コントローラにも送付し、入室用のゲートの電気錠を併せて解錠すればよい。ただし、認証結果の送付ルートは、認証端末からコントローラを介して入室用コントローラに送付してもよく、認証端末から入室用コントローラを介してコントローラに送付してもよい。
【発明を実施するための最良の形態】
【００１２】
以下、図面を以って発明の実施の形態を説明する。
【００１３】
携帯電話用のキャビネット装置は、ボックス２０、２０…を組み込むキャビネット１０と、キャビネット１０に組み込むコントローラ１１、認証端末１２とを備えてなる（図１、図２）。ただし、図１（Ａ）は、全体構成系統図、同図（Ｂ）は、入室用のゲートＧを含む設置平面図である。
【００１４】
キャビネット１０には、複数のボックス２０、２０…が縦横に整然と組み込まれている。なお、キャビネット１０の下部には、図示しない施錠可能な扉を介してコントローラ１１が組み込まれており、キャビネット１０の表面には、認証端末１２が組み込まれている。
【００１５】
各ボックス２０には、携帯電話Ｔを収納することができる（図３）。ただし、図３（Ａ）〜（Ｃ）は、それぞれボックス２０の構成平面図、縦断面図、電装品系統図である。
【００１６】
ボックス２０は、前面開放の箱体であり、透明な窓付きの扉２１が前面に付設され、内部正面には、携帯電話Ｔを斜めに支持する支持枠２２が組み込まれている。支持枠２２上には、左右のガイド板２２ａ、２２ａが立設され、裏面側には、支持枠２２上の携帯電話Ｔを検知するマイクロスイッチ２３が付設されている。ただし、マイクロスイッチ２３は、支持枠２２の中央部の角孔２２ｂに出没する揺動片２３ａを介して支持枠２２上の携帯電話Ｔの有無を検知することができる。
【００１７】
ボックス２０には、電気錠２４が組み込まれている。電気錠２４は、扉２１のフック２１ａに係合する掛け金２４ａを有し、掛け金２４ａは、扉２１を閉じることによりフック２１ａに自動的に係合して扉２１を施錠し、図示しないソレノイドを介し、フック２１ａとの係合を外して解錠することができる。なお、電気錠２４には、扉２１が閉じられて施錠されたことを検出する図示しないリミットスイッチ２５が組み込まれている。電気錠２４は、ボックス２０内において、仕切扉２４ｂ、取付ベース２４ｃ、２４ｃを介して扉２１の反ヒンジ側に組み込まれている。ボックス２０の前部上方には、赤青のランプ２６、２７が配設されている。マイクロスイッチ２３、電気錠２４、リミットスイッチ２５、ランプ２６、２７は、たとえば多心のケーブル２８を介し、ボックス２０ごとにコントローラ１１に接続されている（図１（Ａ））。
【００１８】
認証端末１２は、入室用コントローラＧb に接続されており、コントローラ１１は、入室用コントローラＧb と双方向に接続されている。入室用コントローラＧb は、入室用のゲートＧの電気錠Ｇa を解錠制御することができる。なお、キャビネット１０は、ゲートＧの近傍の室外側に設置されている（図１（Ｂ））。
【００１９】
利用者は、ゲートＧから入室するとき、認証端末１２を認証操作することにより、所定のボックス２０に携帯電話Ｔを収納して入室することができ、ゲートＧから退出すると、同様に認証操作することにより、携帯電話Ｔをボックス２０から取り出すことができる。そこで、入室のために認証端末１２による認証操作が行われると、コントローラ１１は、入室用コントローラＧb とともに、全体としてたとえば図４のプログラムフローチャートに従って作動する。
【００２０】
プログラムは、まず、認証端末１２による認証結果の正否をチェックする（図４のプログラムステップ（１）、以下、単に（１）のように記す）。すなわち、プログラムは、認証端末１２を介して認証された利用者があらかじめ登録された正規の利用者でないと（１）、そのまま終了し、正規の利用者であることを確認すると（１）、利用者の認証履歴を記録する（２）。その後、プログラムは、その利用者に指定されたボックス２０の電気錠２４を解錠した上（３）、そのボックス２０内の赤のランプ２６を点灯させ（４）、当該利用者の携帯電話Ｔがボックス２０に収納されるのを待って待機する（５）。すなわち、利用者は、赤のランプ２６が点灯することにより、自分が利用すべきボックス２０の電気錠２４が解錠されたことがわかるから、ボックス２０の扉２１を開け、携帯電話Ｔを収納し、扉２１を閉じて自動施錠すればよい。なお、このようにして携帯電話Ｔが収納され、扉２１が閉じられると、マイクロスイッチ２３が作動し、リミットスイッチ２５が作動する。
【００２１】
そこで、プログラムは、ボックス２０の赤のランプ２６を消灯して青のランプ２７を点灯することにより（６）、携帯電話Ｔの収納完了を利用者に報知するとともに、ゲートＧの電気錠Ｇa を解錠するから（７）、利用者は、そのままゲートＧを開いて入室することができる。一方、プログラムは、規定の一定時間の経過を待って（８）、ボックス２０の青のランプ２７を消灯して（９）、終了する。ただし、ゲートＧは、電気錠Ｇa が解錠されることにより室外側から自由に開けることができ、利用者が入室すると、自動的に閉じ、自動的に施錠されるものとする。すなわち、利用者は、認証端末１２による認証操作により携帯電話Ｔをボックス２０に収納し、そのままゲートＧから入室することができる。
【００２２】
ボックス２０内の携帯電話Ｔを取り出すとき、ゲートＧから退室した利用者は、認証端末１２に対して取出し動作を指定して認証操作を実行し、このときのコントローラ１１、入室用コントローラＧb は、たとえば図５のプログラムフローチャートに従って作動する。ただし、ゲートＧは、退室の際に室内側から自由に開けることができ、利用者が退室すると、自動的に閉じて施錠されるものとする。
【００２３】
プログラムは、認証結果が正常であることを確認すると（図５のプログラムステップ（１）、以下、単に（１）のように記す）、利用者の認証履歴を記憶して（２）、利用者に指定されているボックス２０の電気錠２４を解錠し（３）、ボックス２０の青のランプ２７を点灯する。そこで、利用者は、そのボックス２０の扉２１を開き、自分の携帯電話Ｔを取り出すことができる。携帯電話Ｔが取り出され、扉２１が閉じられると（５）、一定時間の経過を待って（６）、青のランプ２７を消灯して終了する（７）。
【００２４】
以上の説明において、図４、図５の各プログラムステップの機能は、ボックス２０内のマイクロスイッチ２３、電気錠２４、リミットスイッチ２５、ランプ２６、２７との信号受授をコントローラ１１により行い、ゲートＧの電気錠Ｇa などとの信号受授を入室用コントローラＧb により行う他、コントローラ１１、入室用コントローラＧb の双方により任意に機能分担してよいものとする。そこで、図１（Ａ）において、認証端末１２は、入室用コントローラＧb に接続するに代えて、コントローラ１１に接続してもよい。また、コントローラ１１は、入室用コントローラＧb との接続を省略し、ゲートＧによる利用者の入室動作を切り離して、携帯電話Ｔの収納取出動作だけを単独に実行することも可能である。
【他の実施の形態】
【００２５】
利用者は、認証端末１２による認証操作により携帯電話Ｔをボックス２０に収納し、その後、ゲートＧ用の認証端末Ｇc による認証操作を経てゲートＧからの入室が許容されるように、全体の動作形態を構築することができる（図６、図７）。
【００２６】
図６は、次の各点を除き、図１と同一である。すなわち、図６（Ａ）において、入室用コントローラＧb には、ゲートＧ用の認証端末Ｇc が併せて接続されており、同図（Ｂ）において、ゲートＧの直近室外側には、認証端末Ｇc が設置されている。一方、図７のプログラムフローチャートは、図４のプログラムステップ（６）、（７）の間にプログラムステップ（２１）〜（２３）を追加して構成されている。
【００２７】
利用者は、認証端末１２による認証操作により図７のプログラムを作動させ、所定のボックス２０に携帯電話Ｔを収納すると（図７のプログラムステップ（１）〜（６）、以下、単に（１）〜（６）のように記す）、入室のためにゲートＧ用の認証端末Ｇc による認証操作をする。そこで、プログラムは、認証端末Ｇc による認証操作が行われるのを待って（２１）、認証結果が正常であることを確認すると（２２）、利用者の認証履歴を記録した上（２３）、ゲートＧの電気錠Ｇa を解錠し（７）、ゲートＧから利用者が入室することを許容する。その他の動作は、図４と同様である。
【００２８】
また、ゲートＧ用の認証端末Ｇc による認証操作によりゲートＧから利用者を入室させ、室内側に設置するキャビネット１０のボックス２０にそのまま携帯電話Ｔを収納させるように、全体の動作形態を構築してもよい（図８、図９）。
【００２９】
図８（Ｂ）は、図６（Ｂ）に対し、認証端末１２付きのキャビネット１０が室内側に設置されている点が異なり、図８（Ａ）は、図６（Ａ）と実質的に同一である。また、図９のプログラムフローチャートは、図４のプログラムステップ（１）、（２）に代えて図７のプログラムステップ（２２）、（２３）を採用し、図４のプログラムステップ（３）、（７）を合体してプログラムステップ（３ａ）としている。
【００３０】
そこで、利用者は、ゲートＧ用の認証端末Ｇc による認証操作により図９のプログラムを作動させると、プログラムは、認証結果が正常であることを確認して（図９のプログラムステップ（２２）、以下、単に（２２）のように記す）、利用者の認証履歴を記録した上（２３）、ゲートＧの電気錠Ｇa 、ボックス２０の電気錠２４を解錠する（３ａ）。そこで、利用者は、ゲートＧから入室することができる。一方、プログラムは、ボックス２０の赤のランプ２６を点灯して（４）、利用者に報知しているから、ゲートＧから入室した利用者は、自分の携帯電話Ｔを指定のボックス２０にそのまま収納することができる。なお、キャビネット１０上の認証端末１２は、退室に際し、ボックス２０内の携帯電話Ｔを取り出すために使用するものとする。
【００３１】
なお、図４、図７、図９において、それぞれのプログラムステップ（４）〜（６）は、図１０のプログラムステップ（４ａ）〜（６）に変更してもよい。すなわち、図１０において、プログラムは、ボックス２０の電気錠２４を解錠して携帯電話Ｔを収納可能にすると、そのボックス２０の赤のランプ２６を点滅させる（図１０のプログラムステップ（４ａ）、以下、単に（４ａ）のように記す）。つづいて、プログラムは、利用者により携帯電話Ｔが支持枠２２上に正しく置かれると（５ａ）、赤のランプ２６を点灯させるから（４ｂ）、利用者は、それを確認して扉２１を閉じ、自動施錠する。一方、プログラムは、扉２１が閉じられたことを確認して（５ｂ）、赤のランプ２６を消灯させ、青のランプ２７を点灯させる（６）。
【図面の簡単な説明】
【００３２】
【図１】全体構成説明図
【図２】キャビネットの正面図
【図３】ボックスの構成説明図
【図４】プログラムフローチャート（１）
【図５】プログラムフローチャート（２）
【図６】他の実施の形態を示す図１相当図（１）
【図７】プログラムフローチャート（３）
【図８】他の実施の形態を示す図１相当図（２）
【図９】プログラムフローチャート（４）
【図１０】要部プログラムフローチャート
【符号の説明】
【００３３】
Ｔ…携帯電話
Ｇ…ゲート
Ｇa …電気錠
Ｇb …入室用コントローラ
Ｇc …認証端末
１０…キャビネット
１１…コントローラ
１２…認証端末
２０…ボックス
２４…電気錠
特許出願人          株式会社  富士精工本社
代理人  弁理士              松  田  忠  秋
【図１】
2006138138.tif 000003
【図２】
2006138138.tif 000004
【図３】
2006138138.tif 000005
【図４】
2006138138.tif 000006
【図５】
2006138138.tif 000007
【図６】
2006138138.tif 000008
【図７】
2006138138.tif 000009
【図８】
2006138138.tif 000010
【図９】
2006138138.tif 000011
【図１０】
2006138138.tif 000012